(57)【要約】【課題】突起の小型化を図ることができるとともに、駆動源の負荷を小さくすることができる頭皮ケア装置を提供する。【解決手段】頭皮ケア装置１は、本体ハウジング１１に対して突出する複数の突起１４をモータ１３にて駆動するとともに、突起１４から光を射出して、該突起１４に接触する頭皮に刺激を与える。そして、本体ハウジング１１内に光源Ｋを配置するとともに、該光源Ｋと複数の突起１４とを光ファイバーＦで繋げることで光源Ｋからの光を突起１４から射出可能とした。【選択図】図１
2011172627.tif 000002
【特許請求の範囲】
【請求項１】
本体ハウジングに対して突出する突起を駆動源にて駆動するとともに、前記突起から光を射出して、該突起に接触する頭皮に刺激を与えるための頭皮ケア装置であって、
前記本体ハウジング内に光源を配置するとともに、該光源と前記突起とを光ファイバーで繋げることで前記光源からの光を前記突起から射出可能としたことを特徴とする頭皮ケア装置。
【請求項２】
請求項１に記載の頭皮ケア装置において、
前記突起は複数設けられ、単一の前記光源と各突起とを光ファイバーで繋げて単一の前記光源からの光を各前記突起から射出可能としたことを特徴とする頭皮ケア装置。
【請求項３】
請求項２に記載の頭皮ケア装置において、
前記駆動源は、前記本体ハウジングに収容されて、該本体ハウジングから突出する出力軸を回転駆動するものであり、
複数の前記突起は、前記出力軸の中心である第１の軸からずれた第２の軸中心で前記出力軸に対して回転可能に設けられる回転部材に備えられて該回転部材と共に施術子を構成するとともに、前記第１の軸に対して偏った位置に配置されるように前記回転部材に設けられるものであることを特徴とする頭皮ケア装置。
【請求項４】
請求項３に記載の頭皮ケア装置において、
前記本体ハウジングには、該本体ハウジングから突出した前記出力軸の周囲を覆うカバーが設けられたことを特徴とする頭皮ケア装置。
【請求項５】
請求項４に記載の頭皮ケア装置において、
前記カバーは、前記施術子の前記第１の軸中心の回転を許容し、且つ前記施術子の前記第１の軸中心の回転に追従しながら外部と前記出力軸側とを区画する変形可能な追従変形体を有し、
前記追従変形体は、前記第１の軸方向から見て前記第２の軸に対する前記突起の位置関係が変化しない状態を保ったまま前記施術子が前記第１の軸中心に回転するように、前記施術子に連結されたことを特徴とする頭皮ケア装置。
【発明の詳細な説明】
【技術分野】
【０００１】
本発明は、例えば、頭皮の活性化や育毛を図るための頭皮ケア装置に関するものである。
【背景技術】
【０００２】
頭皮ケア装置としては、本体に対して突出する突起を駆動源にて駆動する（振動させる）とともに、前記突起から光を射出して、該突起に接触する頭皮に刺激を与えるようにしたものがある（例えば、特許文献１参照）。この頭皮ケア装置では、突起毎にＬＥＤランプを設けることで、突起から光を射出可能としている。
【先行技術文献】
【特許文献】
【０００３】
【特許文献１】実用新案登録第３１３３７００号公報
【発明の概要】
【発明が解決しようとする課題】
【０００４】
しかしながら、上記のような頭皮ケア装置では、突起に（その内部に）光源であるＬＥＤランプを設けているため、光源よりも突起を小型化することができなかった。又、突起に光源であるＬＥＤランプを設けているため、突起を含む非駆動部材が重くなり、ひいては駆動源の負荷が大きくなってしまっていた。
【０００５】
本発明は、上記課題を解決するためになされたものであって、その目的は、突起の小型化を図ることができるとともに、駆動源の負荷を小さくすることができる頭皮ケア装置を提供することにある。
【課題を解決するための手段】
【０００６】
上記課題を解決するために、請求項１に記載の発明では、本体ハウジングに対して突出する突起を駆動源にて駆動するとともに、前記突起から光を射出して、該突起に接触する頭皮に刺激を与えるための頭皮ケア装置であって、前記本体ハウジング内に光源を配置するとともに、該光源と前記突起とを光ファイバーで繋げることで前記光源からの光を前記突起から射出可能としたことを要旨とする。
【０００７】
同構成によれば、本体ハウジング内に光源が配置されるとともに、該光源と突起とが光ファイバーで繋げられることで光源からの光が突起から射出可能とされる。よって、例えば、突起にＬＥＤランプ等の光源を設ける場合のように突起を光源より大きくする必要が無く、突起の小型化を図ることが可能となる。又、例えば、突起にＬＥＤランプ等の光源を設けた場合に比べて、突起を含む被駆動部材の軽量化を図ることが可能となり、ひいては駆動源の負荷を小さくすることができる。
【０００８】
請求項２に記載の発明では、請求項１に記載の頭皮ケア装置において、前記突起は複数設けられ、単一の前記光源と各突起とを光ファイバーで繋げて単一の前記光源からの光を各前記突起から射出可能としたことを要旨とする。
【０００９】
同構成によれば、単一の光源と各突起とが光ファイバーで繋げられて単一の光源からの光が各突起から射出可能とされるため、光源の数を最少としながら複数箇所から光を射出することができる。
【００１０】
請求項３に記載の発明では、請求項２に記載の頭皮ケア装置において、前記駆動源は、前記本体ハウジングに収容されて、該本体ハウジングから突出する出力軸を回転駆動するものであり、複数の前記突起は、前記出力軸の中心である第１の軸からずれた第２の軸中心で前記出力軸に対して回転可能に設けられる回転部材に備えられて該回転部材と共に施術子を構成するとともに、前記第１の軸に対して偏った位置に配置されるように前記回転部材に設けられるものであることを要旨とする。
【００１１】
同構成によれば、複数の突起は、出力軸の中心である第１の軸からずれた第２の軸中心で出力軸に対して回転可能に設けられる回転部材に備えられて回転部材と共に施術子を構成する。そして、複数の突起は、前記第１の軸に対して偏った位置に配置されるように回転部材に設けられるため、本体ハウジングを動かさなくても施術子（複数の突起の群）を広範囲に移動させて頭皮をケアすることができる。このような頭皮ケア装置において、請求項２に記載の発明の効果を得ることができる。
【００１２】
請求項４に記載の発明では、請求項３に記載の頭皮ケア装置において、前記本体ハウジングには、該本体ハウジングから突出した前記出力軸の周囲を覆うカバーが設けられたことを要旨とする。
【００１３】
同構成によれば、本体ハウジングには、本体ハウジングから突出した出力軸の周囲を覆うカバーが設けられるため、毛髪が出力軸に絡まってしまうことを低減することができる。
【００１４】
請求項５に記載の発明では、請求項４に記載の頭皮ケア装置において、前記カバーは、前記施術子の前記第１の軸中心の回転を許容し、且つ前記施術子の前記第１の軸中心の回転に追従しながら外部と前記出力軸側とを区画する変形可能な追従変形体を有し、前記追従変形体は、前記第１の軸方向から見て前記第２の軸に対する前記突起の位置関係が変化しない状態を保ったまま前記施術子が前記第１の軸中心に回転するように、前記施術子に連結されたことを要旨とする。
【００１５】
同構成によれば、カバーは、前記施術子の前記第１の軸中心の回転を許容し、且つ前記施術子の前記第１の軸中心の回転に追従しながら外部と前記出力軸側とを区画する変形可能な追従変形体を有するため、毛髪が出力軸の周囲まで入り込むことが防止され、ひいては毛髪が出力軸に絡まってしまうことが防止される。又、追従変形体は、第１の軸方向から見て第２の軸に対する突起の位置関係が変化しない状態を保ったまま施術子が第１の軸中心に回転するように、施術子に連結されるため、光ファイバーに捩れる力が加わることを低減することができる。即ち、このように追従変形体と施術子が連結されない構成では、第１の軸方向から見て第２の軸に対する突起の位置関係が変化しない状態を保つように光ファイバーに捩れる力が加わることになるが、その力が追従変形体に加わることになるため、光ファイバーに捩れる力が加わることを低減することができる。
【発明の効果】
【００１６】
本発明によれば、突起の小型化を図ることができるとともに、駆動源の負荷を小さくすることができる頭皮ケア装置を提供することができる。
【図面の簡単な説明】
【００１７】
【図１】本実施形態における頭皮ケア装置の断面図。
【図２】本実施の形態における頭皮ケア装置の平面図。
【図３】別例における頭皮ケア装置の断面図。
【発明を実施するための形態】
【００１８】
以下、本発明を具体化した一実施の形態を図１及び図２に従って説明する。
図１に示すように、頭皮ケア装置１は、外観が略直方体状の本体ハウジング１１と、該本体ハウジング１１内に収容保持され、出力軸１２を回転駆動するための駆動源としてのモータ１３と、本体ハウジング１１から突出した出力軸１２の先端に連結され、出力軸１２の回転に基づいて駆動される突起１４を有した施術子１５とを備える。又、本実施の形態の頭皮ケア装置１は、本体ハウジング１１内に収容保持される光源Ｋと、該光源Ｋと突起１４とを繋ぐ光ファイバーＦとを備える。
【００１９】
本体ハウジング１１の側部には、使用者が頭皮ケア装置１をオンオフ操作するためのスイッチ１６が設けられている。
出力軸１２は、本体ハウジング１１の上部から先端側が外部に突出するように同本体ハウジング１１に軸受１７を介して回転可能に支持されている。又、出力軸１２において本体ハウジング１１内の基端側には、出力軸ギヤ１２ａが設けられている。
【００２０】
モータ１３は、回転軸１３ａを回転駆動可能なものであって、該回転軸１３ａの先端部には回転軸ギヤ１３ｂが設けられている。そして、モータ１３は、回転軸ギヤ１３ｂが前記出力軸ギヤ１２ａに噛合されるように本体ハウジング１１内に収容保持されることで、出力軸１２を回転駆動可能とされている。このモータ１３は本体ハウジング１１内に収容保持された制御部１８と電気的に接続され、該制御部１８は本体ハウジング１１内に収容保持された電源（バッテリー）１９及び前記スイッチ１６と電気的に接続されている。
【００２１】
施術子１５は、出力軸１２の中心である第１の軸Ｘ１からずれた第２の軸Ｘ２中心で出力軸１２に対して回転可能に設けられる回転部材２１と、前記第１の軸Ｘ１に対して偏った位置に配置（第２の軸Ｘ２の周囲に配置）されるように回転部材２１に設けられた複数（本実施の形態では４つであって、図１中、２つのみ図示）の突起１４とを有する。
【００２２】
詳しくは、出力軸１２の先端と施術子１５とは、回転板２２、回転支持部材２３及び軸受２４を介して連結されている。回転板２２は、円盤状に形成され、その中心孔２２ａに出力軸１２の先端が嵌入されて固定されている。回転支持部材２３は、略円柱状に形成されるとともに下端にフランジ部２３ａが形成され、その軸中心が出力軸１２の中心である第１の軸Ｘ１からずれた第２の軸Ｘ２中心となるように前記回転板２２上に固定されている。この回転支持部材２３には、下面における前記出力軸１２と対応した位置である前記第１の軸Ｘ１の位置から自身（回転支持部材２３）の軸中心である前記第２の軸Ｘ２の位置の上面に抜ける連通孔２３ｂが形成されている。一方、施術子１５の回転部材２１は、略円盤状の円盤部２１ａと、円盤部２１ａの下面から筒状に延びる筒部２１ｂとを有する。そして、施術子１５は、その回転部材２１における筒部２１ｂの内周面が軸受２４を介して前記回転支持部材２３の外周面に回転可能に支持されている。又、突起１４は、エラストマー等の弾性部材よりなり、略円錐形状に形成され、本実施の形態では円盤部２１ａの上部に上方に突出するように４つ固定されている。この４つの突起１４は、前記第２の軸Ｘ２を中心として均等な距離に等角度（９０°）間隔に配置されている。又、前記回転部材２１には、下面における自身（回転部材２１）の軸中心であって前記第２の軸Ｘ２の位置から各突起１４が固定される位置の上面に分岐しながら抜ける分岐連通孔２１ｃが形成されている。又、各突起１４の中心（略円錐形状の軸中心）には上下に抜ける貫通孔１４ａが形成されている。
【００２３】
そして、本体ハウジング１１内に収容保持される光源Ｋには光ファイバーＦの基端部が繋げられ、その光ファイバーＦは前記出力軸１２（その軸中心に形成された孔）内、前記連通孔２３ｂ、及び前記分岐連通孔２１ｃを介してその先端側が各突起１４に繋がるように設けられる。そして、各突起１４における前記貫通孔１４ａの内部に配置される光ファイバーＦの先端射出部Ｆａからは、光源Ｋからの光が（突起１４の先端から）射出可能とされている。尚、前記光源Ｋが発生する光は、可視光線であるか否か等に関わらず、頭皮に刺激を与えることができるものであればよく、例えばソフト（低出力）レーザー等である。
【００２４】
又、本体ハウジング１１には、該本体ハウジング１１から突出した出力軸１２の周囲を覆うカバー３１が設けられている。詳しくは、カバー３１は、樹脂材よりなり、本体ハウジング１１（詳しくはその外側面全体）に固定される固定部３１ａと、固定部３１ａから前記出力軸１２の露出した周囲（径方向外側）を覆うように略筒状に延びるカバー本体部３１ｂとを有する。このカバー本体部３１ｂの上端には、回転部材２１の移動軌跡範囲より僅かに大きな開口３１ｃを有するように、言い換えると第１の軸Ｘ１を中心とした円形の開口３１ｃを有するように、第１の軸Ｘ１の直交方向に延びる蓋部３１ｄが形成されている。又、本実施の形態のカバー３１は、施術子１５の前記第１の軸Ｘ１中心の回転（周回）を許容し、且つ前記施術子１５の前記第１の軸Ｘ１中心の回転に追従しながら外部と出力軸１２側とを区画する変形可能な追従変形体としての蛇腹部材３２を有する。この蛇腹部材３２は、弾性体よりなるとともに蛇腹形状に形成され、その一端開口部が前記開口３１ｃに固定されている。又、蛇腹部材３２は、複数の突起１４以外を覆うように設けられるとともに、各突起１４が蛇腹部材３２に形成された孔３２ａ（図２参照）を貫通してそれぞれが該蛇腹部材３２と係合することで、第１の軸Ｘ１方向から見て第２の軸Ｘ２に対する突起１４の位置関係が変化しない状態を保つようにしている。即ち、この例では、弾性体よりなる蛇腹部材３２が、施術子１５の第１の軸Ｘ１中心の移動（回転）を許容するものの、自身を捩れさせるような施術子１５の回転に対して抵抗となることで、第２の軸Ｘ２に対する突起１４の位置関係が変化しないようにしている。
【００２５】
このように構成された頭皮ケア装置１では、スイッチ１６が使用者によってオン操作されると、制御部１８はスイッチ１６からのオン操作信号の入力に基づいて、モータ１３（その回転軸１３ａ）を回転駆動させるための電力を電源１９からモータ１３に供給する。そして、モータ１３の回転軸１３ａが回転駆動されると、回転軸ギヤ１３ｂと出力軸ギヤ１２ａが噛合していることで、出力軸１２及び回転板２２が前記第１の軸Ｘ１を中心として一体回転する。又、このとき、回転支持部材２３及び施術子１５が前記第１の軸Ｘ１を周回するように前記第１の軸Ｘ１を中心として回転する。そして、このとき、各突起１４が蛇腹部材３２に形成された孔３２ａ（図２参照）を貫通してそれぞれが蛇腹部材３２と係合することで、第１の軸Ｘ１方向から見て第２の軸Ｘ２に対する突起１４の位置関係が変化しない状態が保たれたまま施術子１５が第１の軸Ｘ１中心に回転（周回）することになる。そして、施術子１５の先端（突起１４）を頭皮に接触させると、施術子１５の先端（突起１４）の動きに合わせて使用者の頭皮が動かされることになり、頭皮がケア（マッサージ）されることになる。又、このとき、光源Ｋで発生された光が光ファイバーＦを介して各突起１４に伝えられ、その光が各突起１４から（使用者の頭皮に）射出される。
【００２６】
次に、上記実施の形態の特徴的な作用効果を以下に記載する。
（１）本体ハウジング１１内に光源Ｋが配置されるとともに、該光源Ｋと突起１４とが光ファイバーＦで繋げられることで光源Ｋからの光が突起１４から射出可能とされる。よって、例えば、突起にＬＥＤランプ等の光源を設ける場合のように突起を光源より大きくする必要が無く、突起１４の小型化を図ることが可能となる。又、例えば、突起にＬＥＤランプ等の光源を設けた場合に比べて、突起１４を含む被駆動部材（本実施の形態では施術子１５、回転支持部材２３及び回転板２２等）の軽量化を図ることが可能となり、ひいてはモータ１３の負荷を小さくすることができる。
【００２７】
（２）単一の光源Ｋと各突起１４とが光ファイバーＦで繋げられて単一の光源Ｋからの光が各突起１４から射出可能とされるため、光源Ｋの数を最少としながら複数箇所から光を射出することができる。
【００２８】
（３）複数の突起１４は、出力軸１２の中心である第１の軸Ｘ１からずれた第２の軸Ｘ２中心で出力軸１２に対して回転可能に設けられる回転部材２１に備えられて回転部材２１と共に施術子１５を構成する。そして、複数の突起１４は、前記第１の軸Ｘ１に対して偏った位置に配置されるように回転部材２１に設けられるため、本体ハウジング１１を動かさなくても施術子１５（複数の突起１４の群）を広範囲に移動させて頭皮をケアすることができる。
【００２９】
（４）本体ハウジング１１には、本体ハウジング１１から突出した出力軸１２の周囲を覆うカバー３１（カバー本体部３１ｂ）が設けられるため、毛髪が出力軸１２に絡まってしまうことを低減することができる。
【００３０】
（５）カバー３１は、施術子１５の第１の軸Ｘ１中心の回転を許容し、且つ施術子１５の第１の軸Ｘ１中心の回転に追従しながら外部と前記出力軸１２側とを区画する変形可能な蛇腹部材３２を有するため、毛髪が出力軸の周囲まで入り込むことが防止され、ひいては毛髪が出力軸１２に絡まってしまうことが防止される。又、蛇腹部材３２は、第１の軸Ｘ１方向から見て第２の軸Ｘ２に対する突起１４の位置関係が変化しない状態を保ったまま施術子１５が第１の軸Ｘ１中心に回転するように、施術子１５に連結される。よって、光ファイバーＦに捩れる力が加わることを低減することができる。即ち、このように蛇腹部材３２と施術子１５が連結されない構成では、第１の軸Ｘ１方向から見て第２の軸Ｘ２に対する突起１４の位置関係が変化しない状態を保つように光ファイバーＦに捩れる力が加わることになるが、その力が蛇腹部材３２に加わることになるため、光ファイバーＦに捩れる力が加わることを低減することができる。
【００３１】
上記実施の形態は、以下のように変更いてもよい。
・上記実施の形態では、施術子１５が１つの頭皮ケア装置１に具体化したが、これに限定されず、施術子１５が複数の頭皮ケア装置に具体化してもよい。
【００３２】
例えば、図３に示すように、本体ハウジング５１が単一で、上記実施の形態の施術子１５と共に、出力軸１２やモータ１３等が複数（この例では３つ）ずつ設けられた頭皮ケア装置５２に具体化してもよい。この例では、単一の光源Ｋと各施術子１５における各（全ての）突起１４とが光ファイバーＦで繋げられて単一の光源Ｋからの光が各突起１４から射出可能とされている。このようにしても、上記実施の形態の効果と同様の効果を得ることができる。尚、この例では上記実施の形態の蛇腹部材３２が１つで３つの施術子１５に対して同様の機能を有する蛇腹部材５３に変更されている。
【００３３】
・上記実施の形態では、単一の光源Ｋと各突起１４とが光ファイバーＦで繋げられて単一の光源Ｋからの光が各突起１４から射出可能とされるとしたが、これに限定されず、複数の光源と複数の突起とを備えた頭皮ケア装置としてもよい。尚、この場合、１つの光源と複数の突起とを光ファイバーで繋げてもよいし、１つの光源につき１つの突起を光ファイバーで繋げてもよい。
【００３４】
・上記実施の形態では、複数の突起１４は、モータ１３（駆動源）の駆動力によって前記第１の軸Ｘ１を中心として回転されるものとしたが、駆動源にて駆動されるものであればよく、例えば、駆動源の駆動力によって振動される頭皮ケア装置に具体化してもよい。
【００３５】
・上記実施の形態では、本体ハウジング１１には、本体ハウジング１１から突出した出力軸１２の周囲を覆うカバー３１（カバー本体部３１ｂ）が設けられるとしたが、これに限定されず、カバー３１を有していない頭皮ケア装置としてもよい。又、上記実施の形態では、カバー３１は蛇腹部材３２（追従変形部体）を有するとしたが、これに限定されず、蛇腹部材３２を有していないカバー３１としてもよい。又、上記実施の形態の蛇腹部材３２（追従変形体）は、蛇腹形状でなくとも、同様の機能を有する他の追従変形体に変更してもよい。
【符号の説明】
【００３６】
１１，５１…本体ハウジング、１２…出力軸、１３…モータ（駆動源）、１４…突起、１５…施術子、２１…回転部材、３１…カバー、３２，５３…蛇腹部材（追従変形体）、Ｆ…光ファイバー、Ｋ…光源、Ｘ１…第１の軸、Ｘ２…第２の軸。
【図１】
2011172627.tif 000003
【図２】
2011172627.tif 000004
【図３】
2011172627.tif 000005